(57)【要約】【課題】設備自体が簡素化されて、ダム貯水池の水を浪費しない堆砂排出設備を提供する。【解決手段】ダム貯水池Ｐの堆砂Ａを堤体Ｂの下流側Ｄに移動させる堆砂運搬手段１〜４が具備されたダム貯水池Ｐの堆砂排出設備１００であって、吸水口がダム貯水池Ｐの水域に配置されるとともに、堤体Ｂを越えて、排水口が堤体Ｂの下流側に配置されたサイフォン式導水管５と、サイフォン式導水管５にサイフォンの原理を働かせる負圧ポンプ６と、サイフォン式導水管５からの水により駆動する水圧エンジン７と、水圧エンジン７の駆動による動力を上記堆砂運搬手段１〜４に伝達することにより、当該堆砂運搬手段１〜４を駆動させる動力伝達手段８〜１０とが具備され、堆砂運搬手段１〜４が、スクリューコンベア１，２を有し、スクリューコンベア１，２が、被運搬物から水を排出してダム貯水池Ｐに戻し得る構造である。【選択図】図１
2015098671.tif 000002
【特許請求の範囲】
【請求項１】
ダム貯水池の堆砂を堤体の下流側に移動させる堆砂運搬手段が具備されたダム貯水池の堆砂排出設備であって、
吸水口が上記ダム貯水池の水域に配置されるとともに、上記堤体を越えて、排水口が上記堤体の下流側に配置されるサイフォン式導水管と、
上記サイフォン式導水管にサイフォンの原理を働かせる負圧ポンプと、
上記サイフォン式導水管からの水により駆動する水圧エンジンと、
上記水圧エンジンの駆動による動力を上記堆砂運搬手段に伝達することにより、当該堆砂運搬手段を駆動させる動力伝達手段とが具備されたことを特徴とするダム貯水池の堆砂排出設備。
【請求項２】
堆砂運搬手段が、スクリューコンベアを有し、
上記スクリューコンベアが、被運搬物から水を排出してダム貯水池に戻し得る構造であることを特徴とする請求項１に記載のダム貯水池の堆砂排出設備。
【請求項３】
スクリューコンベアが、ダム貯水池に水没して配置されて堆砂および水を吸引する吸引スクリューコンベアと、この吸引スクリューコンベアの下流側に接続されて上記堆砂を上方に運搬する上昇スクリューコンベアとを有し、
上記吸引スクリューコンベアと上記上昇スクリューコンベアとを接続する自在継手と、
上記上昇スクリューコンベアをその軸方向に回転自在に支持する回転支持体と、
上記ダム貯水池に浮べられるとともに係留されて移動自在な浮体とが具備され、
上記吸引スクリューコンベアの上流部が、上記浮体に係留されて、移動自在にされたことを特徴とする請求項２に記載のダム貯水池の堆砂排出設備。
【請求項４】
吸引スクリューコンベアのスクリューと連動するプロペラが設けられ、
上記プロペラが、その回転による流体力でダム貯水池の堆砂を攪拌することにより、上記吸引スクリューコンベアによる上記堆砂の吸引範囲を拡大させるものであることを特徴とする請求項３に記載のダム貯水池の堆砂排出設備。
【請求項５】
水圧エンジンが、サイフォン式導水管からの水がヘッド側またはキャップ側に交互に供給されてピストンを出退させる複動式の水圧シリンダと、当該ピストンの出退により駆動される出力軸とを有することを特徴とする請求項１乃至４のいずれか一項に記載のダム貯水池の堆砂排出設備。
【発明の詳細な説明】
【技術分野】
【０００１】
本発明は、ダム貯水池の堆砂を堤体から下流側に排出する設備、つまりダム貯水池の堆砂排出設備に関するものである。
【背景技術】
【０００２】
一般に、ダムは、上流側からダム貯水池に堆砂が流れ込んでくることを想定して設計されている。しかし、計画されている以上の堆砂がダム貯水池に流れ込んだ場合、ダムの働きに悪影響を及ぼすおそれがあるので、ダム貯水池から堆砂を浚渫船などによって取り除く必要がある。このような浚渫船を不要とするものとしては、ダム自体に堆砂排出装置を設けたものが提案されている（例えば、特許文献１参照）。この特許文献１に記載の装置は、ダム貯水池から堤体の下流側にわたる配管により、サイフォンの原理を利用して堆砂を排出するように構成されている。
【先行技術文献】
【特許文献】
【０００３】
【特許文献１】特開２００８−１０６４９７号公報
【発明の概要】
【発明が解決しようとする課題】
【０００４】
しかしながら、上記特許文献１に記載の装置は、ダム貯水池の堆砂および水を一緒に排出するものである。このため、堆砂および水の両方を運搬するための大型配管（例えばサイフォン装置）やポンプが必要となり、さらに、この大型配管には堆砂および水の流れを遮断し得る専用のバルブが必要となるので、上記装置が複雑化する。また、上記特許文献１に記載の装置は、堆砂および水（つまり濁水）を下流側に排出するので、すなわち、本来排出する必要のない水まで無駄に排出するので、洪水期や出水期などダム貯水池の水が豊富にある期間にしか稼動できない。このように、上記装置では、稼動できる期間が限定されるので、その期間に多量の堆砂を排出することが必要となる。このため、上記装置は、必然的に大型となり、コストが高くなる。
【０００５】
そこで、本発明は、設備自体が簡素化されて、ダム貯水池の水を浪費しない堆砂排出設備を提供することを目的とする。
【課題を解決するための手段】
【０００６】
上記課題を解決するため、請求項１に係る本発明のダム貯水池の堆砂排出設備は、ダム貯水池の堆砂を堤体の下流側に移動させる堆砂運搬手段が具備されたダム貯水池の堆砂排出設備であって、
吸水口が上記ダム貯水池の水域に配置されるとともに、上記堤体を越えて、排水口が上記堤体の下流側に配置されるサイフォン式導水管と、
上記サイフォン式導水管にサイフォンの原理を働かせる負圧ポンプと、
上記サイフォン式導水管からの水により駆動する水圧エンジンと、
上記水圧エンジンの駆動による動力を上記堆砂運搬手段に伝達することにより、当該堆砂運搬手段を駆動させる動力伝達手段とが具備されたものである。
【０００７】
また、請求項２に係る本発明のダム貯水池の堆砂排出設備は、請求項１に記載の堆砂運搬手段が、スクリューコンベアを有し、
上記スクリューコンベアが、被運搬物から水を排出してダム貯水池に戻し得る構造であるものである。
【０００８】
さらに、請求項３に係る本発明のダム貯水池の堆砂排出設備は、請求項２に記載のスクリューコンベアが、ダム貯水池に水没して配置されて堆砂および水を吸引する吸引スクリューコンベアと、この吸引スクリューコンベアの下流側に接続されて上記堆砂を上方に運搬する上昇スクリューコンベアとを有し、
上記吸引スクリューコンベアと上記上昇スクリューコンベアとを接続する自在継手と、
上記上昇スクリューコンベアをその軸方向に回転自在に支持する回転支持体と、
上記ダム貯水池に浮べられるとともに係留されて移動自在な浮体とが具備され、
上記吸引スクリューコンベアの上流部が、上記浮体に係留されて、移動自在にされたものである。
【０００９】
また、請求項４に係る本発明のダム貯水池の堆砂排出設備は、請求項３に記載のダム貯水池の堆砂排出設備において、吸引スクリューコンベアのスクリューと連動するプロペラが設けられ、
上記プロペラが、その回転による流体力でダム貯水池の堆砂を攪拌することにより、上記吸引スクリューコンベアによる上記堆砂の吸引範囲を拡大させるものである。
また、請求項５に係る本発明のダム貯水池の堆砂排出設備は、請求項１乃至３のいずれか一項に記載のダム貯水池の堆砂排出設備において、水圧エンジンが、サイフォン式導水管からの水がヘッド側またはキャップ側に交互に供給されてピストンを出退させる複動式の水圧シリンダと、当該ピストンの出退により駆動される出力軸とを有するものである。
【発明の効果】
【００１０】
上記ダム貯水池の堆砂排出設備によると、設備を簡素化することができるとともに、ダム貯水池の水の浪費を防止することができる。
【図面の簡単な説明】
【００１１】
【図１】本発明の実施の形態に係るダム貯水池の堆砂排出設備を示す概略斜視図である。
【図２】同ダム貯水池の堆砂排出設備の概略構成を示すブロック図である。
【図３】同ダム貯水池の堆砂排出設備におけるスクリューコンベアを示す縦断面図である。
【図４】図３を拡大して示す図であり、（ａ）は図３のａの拡大図、（ｂ）は図３のｂの拡大図、（ｃ）は図３のｃの拡大図である。
【図５】同スクリューコンベアにおける呑口部の横断面図を示す図であり、（ａ）は図４（ｃ）のＡ−Ａ断面図、（ｂ）は図４（ｃ）のＢ−Ｂ断面図、（ｃ）は図４（ｃ）のＣ−Ｃ断面図である。
【図６】同堆砂排出設備における水圧エンジンを示す図であり、（ａ）が側面断面図、（ｂ）が斜視図である。
【図７】同水圧エンジンにおける水圧シリンダおよび水圧機器を示す水圧回路図である。
【発明を実施するための形態】
【００１２】
以下、本発明の実施の形態に係るダム貯水池の堆砂排出設備について図面に基づき説明する。
まず、ダム貯水池の堆砂排出設備の概略構成について説明する。
【００１３】
この堆砂排出設備は、図１および図２に示すように、ダム貯水池Ｐの底に溜まった堆砂Ａを堤体Ｂの下流側Ｄに移動させて排出するものである。すなわち、上記堆砂排出設備１００は、概略的に、ダム貯水池Ｐの堆砂Ａを堤体Ｂの下流側Ｄに移動させる堆砂運搬手段１〜４と、この堆砂運搬手段１〜４に必要な動力を発生させる動力発生手段５〜７と、この動力発生手段５〜７により発生した動力を上記堆砂運搬手段１〜４に伝達する動力伝達手段８〜１０とから構成される。
【００１４】
『堆砂運搬手段１〜４』
上記堆砂運搬手段１〜４は、図１および図３に示すように、堆砂Ａの上流側から、ダム貯水池Ｐに水没して配置された吸引スクリューコンベア１と、この吸引スクリューコンベア１の下流端に接続された上昇スクリューコンベア２と、この上昇スクリューコンベア２からの被運搬物（堆砂Ａであり以下に詳しく説明する）を堤頂Ｂｔまで略水平に運搬するベルトコンベア３とが具備される。また、上記堆砂運搬手段１〜４は、図１および図２に示すように、上記ベルトコンベア３からの被運搬物である堆砂Ａを上記堤体Ｂの下流側Ｄまで滑り降ろす排砂管４（例えばジャバラホース）も具備される。
【００１５】
上記吸引スクリューコンベア１および上昇スクリューコンベア２（以下、これらを単にスクリューコンベア１，２という）は、いずれも上流側から下流側まで被運搬物を排水しながら運搬するものである。すなわち、上記スクリューコンベア１，２は、図３におけるａおよびｂの拡大図、つまり図４（ａ）および（ｂ）に示すように、外殻案内管１ｏ，２ｏおよび内殻案内管１ｉ，２ｉと、この内殻案内管１ｉ，２ｉの内部で回転して被運搬物を運搬するスクリュー１ｓ，２ｓとを有する。上記内殻案内管１ｉ，２ｉは、多孔が形成されて上記被運搬物から水を排出する構造（多孔式二重管）、つまり排水構造にされている。このため、上記被運搬物は、ダム貯水池Ｐの水面から上昇した段階で水が排出されて、堆砂Ａのみとなる。
【００１６】
上記吸引スクリューコンベア１は、図１および図３に示すように、平面視で、上流端（以下、呑口部１ｍという）が中央位置（堆砂Ａが多く溜まっていると想定される位置）に配置されるとともに、下流端が斜樋Ｔの近くに配置される。すなわち、上記吸引スクリューコンベア１は、その呑口部１ｍで堆砂Ａおよび水を吸引して下流端（上昇スクリューコンベア２側）まで運搬するものである。ここで、上記呑口部１ｍは、効率よく堆砂Ａを吸引し得る構造にされている。すなわち、上記呑口部１ｍは、図４（ｃ）に示すように、スクリューの軸１ａおよび外殻案内管１ｏの上部が吸引の上流側に延長されるとともに、延長されたスクリューの軸１ａの上流端に設けられたプロペラ１１［図５（ａ）も参照］と、このプロペラ１１の回転による流体力で攪拌・移流された堆砂Ａおよび水をノズル効果により吸引する開口円盤１２［図５（ｃ）も参照］とを有する。また、上記呑口部１ｍは、図４（ｃ）に示すように、延長されたスクリューの軸１ａを支持する２つの支承部１３，１４が設けられる。これら２つの支承部１３，１４のうち、一方は上記プロペラ１１の下流側に配置された三方支承部１３［図５（ｂ）も参照］であり、他方は上記開口円盤１２の下流側に配置された四方支承部１４［図５（ｃ）も参照］である。なお、上記呑口部１ｍは、図１および図３に示すように、ダム貯水池Ｐに浮かべられた浮体Ｆに係留されているので（上記浮体Ｆ自身も斜樋Ｔに係留されている）、ある程度は上下流方向および鉛直方向に移動自在である。
【００１７】
上記上昇スクリューコンベア２は、図３に示すように、複数の回転支持体Ｓにより、その案内管１ｏ，１ｉの軸方向に対して回転自在に、且つ上記斜樋Ｔに沿って配置される。また、上記上昇スクリューコンベア２は、上流端が吸引スクリューコンベア１の下流端に自在継手（詳しくは第２自在継手１０として後述する）を介して接続される。このため、上記吸引スクリューコンベア１および上記上昇スクリューコンベア２は、上記吸引スクリューコンベア１の呑口部１ｍがある程度は上下流方向および鉛直方向に移動しても、上記第２自在継手１０および回転支持体Ｓにより、柔軟に対応可能な構成である。さらに、図１に示すように、上記上昇スクリューコンベア２は、下流端が堤頂Ｂｔよりも高くに位置するように配置される。
【００１８】
上記ベルトコンベア３は、一般に使用されている公知の土砂運搬用ベルトコンベアであり、図１に示すように、堆砂Ａを運搬する無端ベルト３ｂと、この無端ベルト３ｂを循環させる駆動部３ｒとを有する。また、上記ベルトコンベア３は、上流端が上記上昇スクリューコンベア２の下流端の下方に配置されるとともに、下流端が堤頂Ｂｔに配置される。なお、図１には、一基のベルトコンベア３を示したが、堆砂Ａを運搬する距離によっては、数基のベルトコンベア３を直列に接続したものであってもよい。
【００１９】
上記排砂管４は、図１に示すように、上流端が上記ベルトコンベア３の下流端の下方に配置されるとともに、下流端が上記堤体Ｂの下流側Ｄに配置される。図１および図２に示すように、上記排砂管４の下流端の位置には、例えば河岸など、堆砂Ａの仮置に適した場所（以下、堆砂仮置場Ｄｐという）が選択される。
【００２０】
『動力発生手段５〜７』
上記動力発生手段５〜７は、図１および図２に示すように、ダム貯水池Ｐから堤体Ｂを跨ぐように配置されたサイフォン式導水管５と、このサイフォン式導水管５にサイフォンの原理を働かせる負圧ポンプ（サイフォンの原理を働かせるポンプであればよい）６と、上記サイフォン式導水管５からの水により駆動する水圧エンジン７とが具備される。
【００２１】
上記サイフォン式導水管５は、図１に示すように、上流端（吸水口）が堤体Ｂに沿ってダム貯水池Ｐに配置されるとともに、下流端（排水口）が堤体Ｂの下流側Ｄで上記水圧エンジン７に接続される。また、上記サイフォン式導水管５は、図示を省略するが、上流端（吸水口）がダム貯水池Ｐの水域に位置するとともに、内部にフィルターが設けられるので、水圧エンジン７に水のみを送るものである。
【００２２】
上記負圧ポンプ６は、図１に示すように、上記サイフォン式導水管５の最も高い位置、つまり堤頂Ｂｔに配置される。このため、上記負圧ポンプ６は、その位置まで上記サイフォン式導水管５に水を満たすことにより、当該サイフォン式導水管５にサイフォンの原理を働かせるものである。
【００２３】
上記水圧エンジン７は、図６（ａ）に示すように、上記サイフォン式導水管５からの水（以下、図２に示すように圧力水という）により複動式の水圧シリンダ７０のピストンロッド７８を出退させ、このピストンロッド７８の出退により駆動軸６９とともに出力スプロケット８０［図６（ｂ）参照］を回転駆動させるものである。なお、以下では、上記水圧シリンダ７０のヘッド側を前側、キャップ側を後側として説明する。上記水圧エンジン７は、少なくとも５つ（前側から順に第１〜第５を冠して称する）の支持部材６１ｖが立設固定された架台６１ｈと、この架台６１ｈに設置される機器類６２〜７０と、上記架台６１ｈおよび機器類６２〜７０を納める箱体６０とを備える。上記機器類６２〜７０は、第４および第５の支持部材６１ｖに支持されて圧力水によりピストンロッド７８を出退させ得る上述した複動式の水圧シリンダ７０と、この水圧シリンダ７０のピストンロッド７８の先端（前端）に後端が接続されたコンロッド６２と、このコンロッド６２を前後方向に移動可能に支持するとともに第３の支持部材６１ｖに支持されたコンロッドガイド６３と、上記コンロッド６２の前端に接続されるとともに第２の支持部材６１ｖのクランク軸６４を介して回転自在に支持された回転盤６５と、この回転盤６５の回転に同期する駆動スプロケット６６とを有する。すなわち、上記回転盤６５は、水圧シリンダ７０のピストンロッド７８の出退によりクランク軸６４を中心に回転し、駆動スプロケット６６を回転駆動させ得るものである。なお、この駆動スプロケット６６の回転は、図示しないフライホイールに補助されてトルクが一定になる。また、上記機器類６２〜７０は、第１の支持部材６１ｖに設けられた駆動軸６９と、この駆動軸６９に中心が固定された受動スプロケット６８と、上記駆動スプロケット６６および受動スプロケット６８を連結連動させるチェーン６７とを有する。すなわち、上記駆動軸６９は、駆動スプロケット６６の回転により回転駆動するものである。さらに、上記駆動軸６９は、左側［図６（ａ）では手前側］まで伸びて箱体６０を貫通し、図６（ｂ）に示すように、箱体６０の外部に突出した先端に、上述した出力スプロケット８０が取り付けられている。以上より、上記水圧エンジン７は、上記サイフォン式導水管５からの水（圧力水）により出力スプロケット８０を回転駆動させ得るものである。また、上記水圧エンジン７は、その駆動に必要な圧力水の量がピストン７６の移動した体積分のみであるから、小さな水量で十分に駆動するものである。さらに、上記水圧エンジン７における出力スプロケット８０の回転速度は、水力タービンのような他の水力機関と比べて低く、堆砂運搬手段１〜４に必要な回転速度と大きな差異がない。
【００２４】
次に、上記水圧エンジン７の要部となる上記水圧シリンダ７０と、この水圧シリンダ７０に水圧回路により接続された水圧機器とについて図７に基づき説明する。
「水圧シリンダ７０」
上記水圧シリンダ７０は、長筒形のシリンダチューブ７２を備えたシリンダ本体７１と、このシリンダチューブ７２の内部で長手方向に移動自在なピストン部７５とから構成されている。
【００２５】
上記シリンダ本体７１は、シリンダチューブ７２の前端部の開口を覆うフロントカバー７３Ｆと、シリンダチューブ７２の後端部の開口を覆うリヤカバー７３Ｒと、シリンダチューブ７２の外周面に取り付けられてシリンダチューブ７２内の上記圧力水を給排する前後のポート７４Ｆ，７４Ｒとを備えている。これらのうち、前のポート７４Ｆは、フロントカバー７３Ｆの後面に向けて取り付けられており、後のポート７４Ｒは、リヤカバー７３Ｒの前面に向けて取り付けられている。これら前後のポート７４Ｆ，７４Ｒは、一方／他方のポート（７４Ｆ／７４Ｒ）で給水しつつ他方／一方のポート（７４Ｒ／７４Ｆ）で排水するものである。
【００２６】
上記ピストン部７５は、シリンダチューブ７２の内周面に摺動しながら当該シリンダチューブ７２の内部を前後に移動し得るピストン７６と、このピストン７６の前後面にそれぞれ突設された前後のクッションプランジャ７７と、前のクッションプランジャ７７に取り付けられるとともに上記フロントカバー７３Ｆを貫通して前方に伸びた上記ピストンロッド７８とを有している。
【００２７】
上記フロントカバー７３Ｆの後面側およびリヤカバー７３Ｒの前面側には、それぞれ前後のクッションプランジャ７７と略同一形状な開口である前後の嵌合凹部７３ｉが形成されている。また、上記フロントカバー７３Ｆおよびリヤカバー７３Ｒには、上記前後の嵌合凹部７３ｉと前後のポート７４Ｆ，７４Ｒとをそれぞれ連通する前後の連通溝７３ｃが形成されている。さらに、上記フロントカバー７３Ｆには、ピストンロッド７８を貫通させるロッド穴７３ｌが形成されている。
【００２８】
「水圧機器」
上記水圧機器としては、ピストン７６の前後の移動限を検出する出端検出器５２および退端検出器５３と、これら出端検出器５２または退端検出器５３からの信号により圧力水の供給／排出するポート７４Ｆ，７４Ｒを自動で切り換える方向切換弁５４と、上記方向切換弁５４への圧力水の流入量を制御する流入制御バルブ５５と、上記方向切換弁５４から圧力水の流出量を制御する流出制御バルブ５６とが具備される。
【００２９】
上述した構成以外の例としては、図示しないが、出端検出器５２および退端検出器５３の代わりに、クランク軸６４に直結されたカム機構が具備される。このカム機構により、ピストン７６の前後の移動限を機械的に検出するとともに、その検出についての信号を方向切換弁５４に送信することで、上記出端検出器５２および退端検出器５３が具備される構成と同様の制御を実現する。
【００３０】
『動力伝達手段８〜１０』
上記動力伝達手段８〜１０は、図１に示すように、水圧エンジン７における出力スプロケット８０の回転力（動力）をベルトコンベア３における駆動部３ｒに伝達する回転軸８と、図３に示すように、上記駆動部３ｒの回転力（動力）を上昇スクリューコンベア２におけるスクリュー２ｓに伝達する第１自在継手９と、上昇スクリューコンベア２におけるスクリュー２ｓの回転力（動力）を吸引スクリューコンベア１におけるスクリュー１ｓに伝達する上述した第２自在継手１０とが具備される。なお、上記出力スプロケット８０の回転速度と上記駆動部３ｒおよびスクリュー１ｓ，２ｓに必要な回転速度とに大きな差異がないので、上記動力伝達手段８〜１０は、減速機などの機器を必要としない。
【００３１】
以下、上記ダム貯水池Ｐの堆砂排出設備１００の作用について説明する。
まず、負圧ポンプ６により、サイフォン式導水管５の最も高い位置にまで吸水口から水を満たしておく。すると、サイフォン式導水管５にサイフォンの原理が働き、その後は負圧ポンプ６を停止しても、自動的にダム貯水池Ｐの水がサイフォン式導水管５の吸水口から排水口まで送られる。
【００３２】
そして、ダム貯水池Ｐの底に溜まった堆砂Ａを堤体Ｂの下流側Ｄに排出する必要が生ずると、流入制御バルブ５５および流出制御バルブ５６を開く。すると、圧力水が水圧シリンダ７０に供給されて、ピストンロッド７８が出退し、出力スプロケット８０が回転駆動する。
【００３３】
出力スプロケット８０が回転すると、この回転力（動力）が回転軸８により駆動部３ｒに伝達されて、無端ベルト３ｂが循環する。また、駆動部３ｒの回転力（動力）が第１自在継手９により上昇スクリューコンベア２におけるスクリュー２ｓに伝達されて、このスクリュー２ｓが回転する。さらに、このスクリュー２ｓの回転力（動力）が第２自在継手１０により吸引スクリューコンベア１におけるスクリュー１ｓに伝達されて、このスクリュー１ｓが回転する。このため、吸引スクリューコンベア１により、呑口部１ｍから堆砂Ａおよび水が吸引されて、上昇スクリューコンベア２まで運搬される。なお、呑口部１ｍでは、プロペラ１１の回転による流体力で堆砂Ａが攪拌されることにより、堆砂Ａの吸引範囲が拡大される。また、上昇スクリューコンベア２により、被運搬物（堆砂Ａおよび水）から水が排出されて、堆砂Ａがベルトコンベア３まで運搬される。さらに、ベルトコンベア３により、堆砂Ａが排砂管４まで運搬されて、排砂管４により、堆砂Ａが堆砂仮置場Ｄｐまで滑り降りる。
【００３４】
このように、上記ダム貯水池Ｐの堆砂排出設備１００によると、水圧エンジン７を使用することにより、ダム貯水池Ｐの小さな水量でも十分に堆砂運搬手段１〜４が駆動するので、ダム貯水池Ｐの水の浪費を防止することができる。
【００３５】
また、水圧エンジン７を使用することにより、出力スプロケット８０の回転速度と上記駆動部３ｒおよびスクリュー１ｓ，２ｓに必要な回転速度とに大きな差異がなく、減速機など大型の減速用装置を必要としないので、設備を簡素化することができる。
【００３６】
さらに、上昇スクリューコンベア２により、被運搬物から水を排出してダム貯水池Ｐに戻すので、ダム貯水池Ｐの水を無駄に運搬することなく、一層ダム貯水池Ｐの水の浪費を防止することができる。
【００３７】
加えて、上昇スクリューコンベア２により、ダム貯水池Ｐの水を無駄に運搬しないので、運搬に必要な動力が削減されて、一層設備を簡素化することができる。
また、呑口部１ｍは、浮体Ｆに係留されてある程度は上下流方向および鉛直方向に移動自在であるとともに、効率よく堆砂Ａを吸引し得る構造であるから、水の吸引を抑えることで、より一層設備を簡素化することができる。
【００３８】
ところで、上記実施の形態では、水圧エンジン７における水圧シリンダ７０の数について説明しなかったが、堆砂運搬手段１〜４に必要な動力に応じて、適宜設計される。
また、上記実施の形態では、動力伝達手段８〜１０となる、出力スプロケット８０と回転軸８との連結構造、および回転軸８と駆動部３ｒとの連結構造について詳細に説明しなかったが、これらの連結構造には、歯車など公知のものが適宜使用される。
【００３９】
さらに、呑口部１ｍを、その近くに随伴流を発生させることで一層効率よく堆砂Ａを吸引しうる構造にしてもよい。具体的には、図示しないが、開口円盤１２に堆砂Ａ吸引用の吸引口を複数形成し、外殻案内管１ｏにおける開口円盤１２および四方支承部１４の下流側に別途の細管（以下、吸引管という）の上流端を接続する。一方で、サイフォン式導水管５の下流側の一部を分岐部とし、この分岐部にベンチュリ管を接続する。また、このベンチュリ管に上記吸引管の下流端を接続する。なお、サイフォン式導水管５の分岐部からベンチュリ管への圧力水の流れを制御するために、ベンチュリ管の上流側に仕切弁が設けられる。この構造により、上記仕切弁を開にすることでベンチュリ管にベンチュリの原理が働き、吸引管および吸引口を介しての呑口部１ｍに随伴流が発生する。したがって、効率よく堆砂Ａが吸引されることになるので、より一層ダム貯水池Ｐの水の浪費を防止することができる。
【符号の説明】
【００４０】
１        吸引スクリューコンベア
２        上昇スクリューコンベア
３        ベルトコンベア
４        排砂管
１〜４        堆砂運搬手段
５        サイフォン式導水管
６        負圧ポンプ
７        水圧エンジン
５〜７        動力発生手段
８        回転軸
９        第１自在継手
１０        第２自在継手
８〜１０        動力伝達手段
７０        水圧シリンダ
【図１】
2015098671.tif 000003
【図２】
2015098671.tif 000004
【図３】
2015098671.tif 000005
【図４】
2015098671.tif 000006
【図５】
2015098671.tif 000007
【図６】
2015098671.tif 000008
【図７】
2015098671.tif 000009